【手続補正書】
【提出日】平成16年8月6日(2004.8.6)
【手続補正１】
【補正対象書類名】明細書
【補正対象項目名】発明の名称
【補正方法】変更
【補正の内容】
【発明の名称】内部ユニットの回り止め機構
【手続補正２】
【補正対象書類名】明細書
【補正対象項目名】特許請求の範囲
【補正方法】変更
【補正の内容】
【特許請求の範囲】
【請求項１】
円柱形の内部ユニットが円筒形の耐圧筐体内に緩衝ばねを介して組み込まれる内部ユニットの回り止め機構において、
前記内部ユニットの両端に、前記内部ユニットを衝撃等に対して保護する緩衝機構をそれぞれ設け、前記緩衝機構とは別に前記内部ユニットの回転を制限する手段を備えたことを特徴とする内部ユニットの回り止め機構。
【請求項２】
前記緩衝機構は、前記内部ユニットの端面に当接するリング状の受座と、この受座と軸線方向において対向するリング状の台座と、前記受座及び前記台座の間に配置されたリング状の皿ばねと、前記耐圧筐体に対する台座の軸線方向移動を阻止する止め輪とを有することを特徴とする請求項１記載の内部ユニットの回り止め機構。
【請求項３】
前記台座に対する前記内部ユニットの回転を制限する手段は、前記内部ユニットの軸線方向端部に設けられた凸部と、この凸部に所定の遊びを有して係合する前記台座に設けられた突起と、を備えたことを特徴とする請求項２に記載の内部ユニットの回り止め機構。
【請求項４】
前記突起の形状を、略コの字状としたことを特徴とする請求項３に記載の内部ユニットの回り止め機構。
【請求項５】
前記突起は、前記台座に一体に又は前記台座とは別部品で構成したことを特徴とする請求項３に記載の内部ユニットの回り止め機構。
【請求項６】
円柱形の内部ユニットが円筒形の耐圧筐体内に緩衝ばねを介して組み込まれ、前記内部ユニットの両端に前記内部ユニットを衝撃等に対して保護する緩衝機構をそれぞれ設け、前記耐圧筐体の両端面を円板状の端面板で封止し、前記端面板は前記耐圧筐体に固定された内部ユニットの回り止め機構において、
前記端面板に、該端面板に対する前記内部ユニットの回転を制限する手段を備えたことを特徴とする請求項１記載の内部ユニットの回り止め機構。
【請求項７】
円柱形の内部ユニットが円筒形の耐圧筐体内に緩衝ばねを介して組み込まれ、前記内部ユニットの両端に前記内部ユニットを衝撃等に対して保護する緩衝機構をそれぞれ設けた内部ユニットの回り止め機構において、
前記内部ユニットの外周面及び前記耐圧筐体の内周面に、前記耐圧筐体に対する前記内部ユニットの回転を制限する手段を備えたことを特徴とする請求項１記載の内部ユニットの回り止め機構。
【手続補正３】
【補正対象書類名】明細書
【補正対象項目名】００１５
【補正方法】変更
【補正の内容】
【００１５】
この発明は以上のような問題点を解消するためになされたもので、内部ユニットにトルクが加わっても内部ユニットを破損する恐れの少ない内部ユニットの回転止め機構を得ることを目的とする。
【手続補正４】
【補正対象書類名】明細書
【補正対象項目名】００１６
【補正方法】変更
【補正の内容】
【００１６】
【課題を解決するための手段】
この発明に係る内部ユニットの回り止め機構は、円柱形の内部ユニットが円筒形の耐圧筐体内に緩衝ばねを介して組み込まれる内部ユニットの回り止め機構において、内部ユニットの両端に、内部ユニットを衝撃等に対して保護する緩衝機構をそれぞれ設け、緩衝機構とは別に内部ユニットの回転を制限する手段を備えたことを特徴とする。
【手続補正５】
【補正対象書類名】明細書
【補正対象項目名】００１７
【補正方法】変更
【補正の内容】
【００１７】
また、この発明に係る内部ユニットの回り止め機構は、緩衝機構は、内部ユニットのの端面に当接するリング状の受座と、この受座と軸線方向において対向するリング状の台座と、受座及び台座の間に配置されたリング状の皿ばねと、耐圧筐体に対する台座の軸線方向移動を阻止する止め輪とを有することを特徴とする。
【手続補正６】
【補正対象書類名】明細書
【補正対象項目名】００１８
【補正方法】変更
【補正の内容】
【００１８】
また、この発明に係る内部ユニットの回り止め機構は、台座に対する内部ユニットの回転を制限する手段は、内部ユニットの軸線方向端部に設けられた凸部と、この凸部に所定の遊びを有して係合する台座に設けられた突起と、を備えたことを特徴とする。
【手続補正７】
【補正対象書類名】明細書
【補正対象項目名】００１９
【補正方法】変更
【補正の内容】
【００１９】
また、この発明に係る内部ユニットの回り止め機構は、突起の形状を、略コの字状としたことを特徴とする。
【手続補正８】
【補正対象書類名】明細書
【補正対象項目名】００２０
【補正方法】変更
【補正の内容】
【００２０】
また、この発明に係る内部ユニットの回り止め機構は、突起は、台座に一体に又は台座とは別部品で構成したことを特徴とする。
【手続補正９】
【補正対象書類名】明細書
【補正対象項目名】００２１
【補正方法】変更
【補正の内容】
【００２１】
また、この発明に係る内部ユニットの回り止め機構は、円柱形の内部ユニットが円筒形の耐圧筐体内に緩衝ばねを介して組み込まれ、内部ユニットの両端に内部ユニットを衝撃等に対して保護する緩衝機構をそれぞれ設け、耐圧筐体の両端面を円板状の端面板で封止し、端面板は耐圧筐体に固定された内部ユニットの回り止め機構において、端面板に、端面板に対する内部ユニットの回転を制限する手段を備えたことを特徴とする。
【手続補正１０】
【補正対象書類名】明細書
【補正対象項目名】００２２
【補正方法】変更
【補正の内容】
【００２２】
また、この発明に係る内部ユニットの回り止め機構は、円柱形の内部ユニットが円筒形の耐圧筐体内に緩衝ばねを介して組み込まれ、内部ユニットの両端に内部ユニットを衝撃等に対して保護する緩衝機構をそれぞれ設けた内部ユニットの回り止め機構において、内部ユニットの外周面及び耐圧筐体の内周面に、耐圧筐体に対する内部ユニットの回転を制限する手段を備えたことを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００５５
【補正方法】変更
【補正の内容】
【００５５】
【発明の効果】
この発明に係る内部ユニットの回転止め機構は、内部ユニットにトルクが加わっても内部ユニットを破損する恐れの少ない内部ユニットの回転止め機構を得ることができる。
また、少なくとも一方の緩衝機構が、台座及び内部ユニットに対する受座の回転は規制せず、台座に対する内部ユニットの回転を制限する手段を備えたことにより、受座により内部ユニットを破損することなく、敷設時の衝撃、振動に対して内部ユニットを保護できる。
また、受座には内部ユニットの回転を規制する手段を有する必要がないため、受座の構造の簡略化、部品点数削減が出来るという効果がある。
さらに、内部ユニットには回転を規制するための穴を必要としないので、耐電圧上有利な構造となり、加工費も安価に出来る。
【手続補正２１】
【補正対象書類名】明細書
【補正対象項目名】００５６
【補正方法】変更
【補正の内容】
【００５６】
また、この発明に係る内部ユニットの回転止め機構は、端面板に、端面板に対する内部ユニットの回転を制限する手段を備えたことにより、緩衝機構には内部ユニットの回転を規制する手段を必要としないため、緩衝機構の部品点数削減、構造の簡略化が出来る利点がある。
さらに、内部ユニットには回転を規制するための穴を必要としないので、耐電圧上有利な構造となり、加工費も安価に出来る。
【手続補正２２】
【補正対象書類名】明細書
【補正対象項目名】００５７
【補正方法】変更
【補正の内容】
【００５７】
また、この発明に係る内部ユニットの回転止め機構は、内部ユニットの外周面及び耐圧筐体の内周面に、耐圧筐体に対する内部ユニットの回転を制限する手段を備えたことことにより、緩衝機構には内部ユニットの回転を規制する手段を必要としないため、緩衝機構の部品点数削減、構造の簡略化が出来る利点がある。
さらに、内部ユニットには回転を規制するための穴を必要としないので、耐電圧上有利な構造となり、加工費も安価に出来る。
【手続補正２３】
【補正対象書類名】明細書
【補正対象項目名】００５８
【補正方法】削除
【補正の内容】
【手続補正２４】
【補正対象書類名】明細書
【補正対象項目名】００５９
【補正方法】削除
【補正の内容】
【手続補正２５】
【補正対象書類名】明細書
【補正対象項目名】００６０
【補正方法】削除
【補正の内容】